(57)【要約】【課題】本発明は充電方法及び装置を開示し、電子技術分野に属する。【解決手段】充電方法は、第１電子装置と第２電子装置の接続を構築することと、接続に基づいて、第２電子装置は第１電子装置のリアルタイム充電電圧情報を取得することと、第２電子装置が第１電子装置に対する充電過程において、第１電子装置のリアルタイム充電電圧情報に基づいて、第１電子装置に対する充電を行うように第２電子装置を制御して第１電子装置に充電電圧を出力させることとを含む。このような充電方法を採用すれば、充電過程において、第２電子装置に１回の電圧変換のみを行い、第１電子装置及び第２電子装置にいずれも電圧変換が必要とする充電方法に比べて、第１電子装置に行う電圧変換過程を減らし、それにより電圧変換過程による電気エネルギーの損失を低下させ、充電効率を向上させる。【選択図】図２
2017534241.tif 000002
【特許請求の範囲】
【請求項１】
充電方法であって、
第１電子装置と第２電子装置の接続を構築することと、
前記接続に基づいて、前記第２電子装置は、前記第１電子装置の充電状態に応じて変化する前記第１電子装置のリアルタイム充電電圧情報を取得することと、
前記第２電子装置が前記第１電子装置に対する充電過程において、前記第１電子装置のリアルタイム充電電圧情報に基づいて、前記第１電子装置に対する充電を行うように前記第２電子装置を制御して前記第１電子装置に充電電圧を出力させることと、
を含むことを特徴とする充電方法。
【請求項２】
前記第１電子装置と第２電子装置の接続を構築することは、
前記第１電子装置と前記第２電子装置に配置された指定インターフェース及び２つの電子装置の間に接続された指定タイプのデータ線によって、前記第１電子装置と前記第２電子装置の接続を構築することを含むことを特徴とする請求項１に記載の方法。
【請求項３】
前記第１電子装置と前記第２電子装置はいずれも移動端末であり、又は、前記第１電子装置は移動端末であり、前記第２電子装置は移動電源装置であることを特徴とする請求項１に記載の方法。
【請求項４】
充電方法であって、
第１電子装置と第２電子装置の接続を構築することと、
前記第２電子装置が前記第１電子装置に対する充電過程において、前記第１電子装置の充電状態をリアルタイムに検出し、前記第１電子装置の充電状態に応じて変化する前記第１電子装置のリアルタイム充電電圧情報を取得することと、
前記接続に基づいて、前記第２電子装置に前記第１電子装置のリアルタイム充電電圧情報をリアルタイムに送信し、前記第１電子装置に対する充電を行うように前記第２電子装置に前記第２電子装置から出力された充電電圧を制御させることと、
を含むことを特徴とする充電方法。
【請求項５】
前記第１電子装置と第２電子装置の接続を構築することは、
前記第１電子装置と前記第２電子装置に配置された指定インターフェース及び２つの電子装置の間に接続された指定タイプのデータ線によって、前記第１電子装置と前記第２電子装置の接続を構築することを含むことを特徴とする請求項４に記載の方法。
【請求項６】
前記第１電子装置の充電状態をリアルタイムに検出し、前記第１電子装置のリアルタイム充電電圧情報を取得することは、
前記充電状態により現在の電池電圧数値がプリセット数値より小さいと示す場合、プリセット電流値と現在の前記第１電子装置の充電状態に応じて変化する前記電池の等価内部抵抗との積を前記第１電子装置のリアルタイム充電電圧情報として取得することと、
前記充電状態により現在の電池電圧数値がプリセット数値より大きいと示す場合、プリセット電圧数値を前記第１電子装置のリアルタイム充電電圧情報として取得することと、
を含むことを特徴とする請求項４に記載の方法。
【請求項７】
充電装置であって、
第１電子装置と第２電子装置の接続を構築する接続モジュールと、
前記接続に基づいて、前記第１電子装置の充電状態に応じて変化する前記第１電子装置のリアルタイム充電電圧情報を取得する取得モジュールと、
前記第１電子装置に対する充電過程において、前記第１電子装置のリアルタイム充電電圧情報に基づいて、前記第１電子装置に対する充電を行うよう、自身を制御して前記第１電子装置に充電電圧を出力させる制御モジュールと、
を含むことを特徴とする充電装置。
【請求項８】
前記接続モジュールはさらに前記第１電子装置と前記第２電子装置に配置された指定インターフェース及び２つの電子装置の間に接続された指定タイプのデータ線によって、前記第１電子装置と前記第２電子装置の接続を構築するのに用いられることを特徴とする請求項７に記載の装置。
【請求項９】
前記第１電子装置と前記第２電子装置はいずれも移動端末であり、又は、前記第１電子装置は移動端末であり、前記第２電子装置は移動電源装置であることを特徴とする請求項７に記載の装置。
【請求項１０】
充電装置であって、
第１電子装置と第２電子装置の接続を構築する接続モジュールと、
前記第２電子装置が前記第１電子装置に対する充電過程において、前記第１電子装置の充電状態をリアルタイムに検出し、前記第１電子装置の充電状態に応じて変化する前記第１電子装置のリアルタイム充電電圧情報を取得する取得モジュールと、
前記接続に基づいて、前記第２電子装置に前記第１電子装置のリアルタイム充電電圧情報をリアルタイムに送信し、前記第１電子装置に対する充電を行うように前記第２電子装置に前記第２電子装置から出力された充電電圧を制御させる送信モジュールと、
を含むことを特徴とする充電装置。
【請求項１１】
前記接続モジュールはさらに前記第１電子装置と前記第２電子装置に配置された指定インターフェース及び２つの電子装置の間に接続された指定タイプのデータ線によって、前記第１電子装置と前記第２電子装置の接続を構築するのに用いられることを特徴とする請求項１０に記載の装置。
【請求項１２】
前記取得モジュールはさらに、前記充電状態により現在の電池電圧数値がプリセット数値より小さいと示す場合、プリセット電流値と現在の前記第１電子装置の充電状態に応じて変化する前記電池の等価内部抵抗との積を前記第１電子装置のリアルタイム充電電圧情報として取得し、前記充電状態により現在の電池電圧数値がプリセット数値より大きいと示す場合、プリセット電圧数値を前記第１電子装置のリアルタイム充電電圧情報として取得するのに用いられることを特徴とする請求項１０に記載の装置。
【請求項１３】
電子装置であって、
プロセッサと、
プロセッサにより実行可能なコマンドを記憶するメモリと、
を含み、
前記プロセッサは、
第１電子装置との接続を構築し、
前記接続に基づいて、前記第１電子装置の充電状態に応じて変化する前記第１電子装置のリアルタイム充電電圧情報を取得し、
前記第１電子装置に対する充電過程において、前記第１電子装置のリアルタイム充電電圧情報に基づいて、前記第１電子装置に対する充電を行うように、電子装置自身を制御して前記第１電子装置に充電電圧を出力させる、
ことを特徴とする電子装置。
【請求項１４】
電子装置であって、
プロセッサと、
プロセッサにより実行可能なコマンドを記憶するメモリと、
を含み、
前記プロセッサは、
第２電子装置との接続を構築し、
前記第２電子装置の充電過程において、前記電子装置自身の充電状態をリアルタイムに検出し、前記電子装置自身の前記電子装置自身の充電状態に応じて変化するリアルタイム充電電圧情報を取得し、
前記接続に基づいて、前記第２電子装置に前記リアルタイム充電電圧情報をリアルタイムに送信し、前記電子装置に対する充電を行うように前記第２電子装置に出力充電電圧を制御させる、
ことを特徴とする電子装置。
【発明の詳細な説明】
【技術分野】
【０００１】
本発明は電子技術分野に関し、特に充電方法及び装置に関する。
【０００２】
本発明は出願番号がＣＮ２０１５１０４４６５４６．４であり、出願日が２０１５年７月２７日である中国特許出願に基づいて提出され、該中国特許出願の優先権を主張し、該中国特許出願の全ての内容はここで参考として本願に援用される。
【背景技術】
【０００３】
電子技術の発展に伴って、例えば、携帯電話、タブレットパソコンなどの電子装置は既に人々の生産、生活においていつでもどこでも不可欠な工具となっている。固定電源の制限を受けずに電子装置を使用するために、充電電池は電力供給電源として電子装置に広く配置されている。充電電池の使用は電池に対する充電に頼り、それにより、電池をどのように便利で高効率に充電できるかは重要な技術的問題になる。
【０００４】
現在、２つの電子装置の相互充電を実現できる方法が現れ、該方法において、第１電子装置と第２電子装置にはそれぞれ電池が配置され、該方法が実行する充電過程は、第１電子装置を充電装置とし、該第１電子装置はその自身の電源管理モジュールによって自身の電池出力電圧を固定電圧に変換するステップと、第２電子装置を被充電装置とし、該固定電圧を該第２電子装置にアクセスするステップと、該第２電子装置は電池自身の充電状態に基づいて、電池自身の充電状態に応じてリアルタイムに変化する必要な充電電圧をリアルタイムに取得するステップと、該第２電子装置はその自身の電池管理モジュールによって該固定電圧を必要な充電電圧に変換し、該充電電圧で該電池自身に対する充電を行うステップと、を有する。したがって、該方法は充電過程において２回の電圧変換を行い、１回の変換過程は第１電子装置により行われ、もう一つの変換過程は第２電子装置により行われる。
【発明の概要】
【発明が解決しようとする課題】
【０００５】
関連技術に存在する問題を解決するために、本発明は充電方法及び装置を提供する。
【課題を解決するための手段】
【０００６】
本発明の実施例の第１態様によれば、
第１電子装置と第２電子装置の接続を構築することと、
該接続に基づいて、該第２電子装置は、該第１電子装置の充電状態に応じて変化する該第１電子装置のリアルタイム充電電圧情報を取得することと、
該第２電子装置が該第１電子装置に対する充電過程において、該第１電子装置のリアルタイム充電電圧情報に基づいて、該第１電子装置に対する充電を行うように該第２電子装置を制御して該第１電子装置に充電電圧を出力させることと、
を含む充電方法を提供する。
【０００７】
本発明の一実施例において、該第１電子装置と第２電子装置の接続を構築することは、該第１電子装置と該第２電子装置に配置された指定インターフェース及び２つの電子装置の間に接続された指定タイプのデータ線によって、該第１電子装置と該第２電子装置の接続を構築することを含む。
【０００８】
本発明の一実施例において、該第１電子装置と該第２電子装置はいずれも移動端末であり、又は、該第１電子装置は移動端末であり、該第２電子装置は移動電源装置である。
【０００９】
本発明の実施例の第２態様によれば、
第１電子装置と第２電子装置の接続を構築することと、
該第２電子装置が該第１電子装置に対する充電過程において、該第１電子装置の充電状態をリアルタイムに検出し、該第１電子装置の充電状態に応じて変化する該第１電子装置のリアルタイム充電電圧情報を取得することと、
該接続に基づいて、該第２電子装置に該第１電子装置のリアルタイム充電電圧情報をリアルタイムに送信し、該第１電子装置に対する充電を行うように該第２電子装置に該第２電子装置から出力された充電電圧を制御させることと、
を含む充電方法を提供する。
【００１０】
本発明の一実施例において、該第１電子装置と第２電子装置の接続を構築することは、該第１電子装置と該第２電子装置に配置された指定インターフェース及び２つの電子装置の間に接続された指定タイプのデータ線によって、該第１電子装置と該第２電子装置の接続を構築することを含む。
【００１１】
本発明の一実施例において、該第１電子装置の充電状態をリアルタイムに検出し、該第１電子装置のリアルタイム充電電圧情報を取得することは、該充電状態により現在の電池電圧数値がプリセット数値より小さいと示す場合、プリセット電流値と現在の該第１電子装置の充電状態に応じて変化する該電池の等価内部抵抗との積を該第１電子装置のリアルタイム充電電圧情報として取得することと、該充電状態により現在の電池電圧数値がプリセット数値より大きいと示す場合、プリセット電圧数値を該第１電子装置のリアルタイム充電電圧情報として取得することとを含む。
【００１２】
本発明の実施例の第３態様によれば、
第１電子装置と第２電子装置の接続を構築する接続モジュールと、
該接続に基づいて、該第１電子装置の充電状態に応じて変化する該第１電子装置のリアルタイム充電電圧情報を取得する取得モジュールと、
該第１電子装置に対する充電過程において、該第１電子装置のリアルタイム充電電圧情報に基づいて、該第１電子装置に対する充電を行うように自身を制御して該第１電子装置に充電電圧を出力させる制御モジュールと、
を含む充電装置を提供する。
【００１３】
本発明の一実施例において、該接続モジュールはさらに、該第１電子装置と該第２電子装置に配置された指定インターフェース及び２つの電子装置の間に接続された指定タイプのデータ線によって、該第１電子装置と該第２電子装置の接続を構築するのに用いられる。
【００１４】
本発明の一実施例において、該第１電子装置と該第２電子装置はいずれも移動端末であり、又は、該第１電子装置は移動端末であり、該第２電子装置は移動電源装置である。
【００１５】
本発明の実施例の第４態様によれば、
第１電子装置と第２電子装置の接続を構築する接続モジュールと、
該第２電子装置が該第１電子装置に対する充電過程において、該第１電子装置の充電状態をリアルタイムに検出し、該第１電子装置の充電状態に応じて変化する該第１電子装置のリアルタイム充電電圧情報を取得する取得モジュールと、
該接続に基づいて、該第２電子装置に該第１電子装置のリアルタイム充電電圧情報をリアルタイムに送信し、該第１電子装置に対する充電を行うように該第２電子装置に該第２電子装置から出力された充電電圧を制御させる送信モジュールと、
を含む充電装置を提供する。
【００１６】
本発明の一実施例において、該接続モジュールはさらに、該第１電子装置と該第２電子装置に配置された指定インターフェース及び２つの電子装置の間に接続された指定タイプのデータ線によって、該第１電子装置と該第２電子装置の接続を構築するのに用いられる。
【００１７】
本発明の一実施例において、該取得モジュールはさらに、該充電状態により現在の電池電圧数値がプリセット数値より小さいと示す場合、プリセット電流値と現在の該第１電子装置の充電状態に応じて変化する該電池の等価内部抵抗との積を該第１電子装置のリアルタイム充電電圧情報として取得し、該充電状態により現在の電池電圧数値がプリセット数値より大きいと示す場合、プリセット電圧数値を該第１電子装置のリアルタイム充電電圧情報として取得するのに用いられる。
【００１８】
本発明の実施例の第５態様によれば、
プロセッサと、
プロセッサにより実行可能なコマンドを記憶するメモリと、
を含み、
該プロセッサは、
第１電子装置との接続を構築し、
該接続に基づいて、該第１電子装置の該第１電子装置の充電状態に応じて変化するリアルタイム充電電圧情報を取得し、
該第１電子装置に対する充電過程において、該第１電子装置のリアルタイム充電電圧情報に基づいて、該第１電子装置に対する充電を行うように自身を制御して該第１電子装置に充電電圧を出力される電子装置を提供する。
【００１９】
本発明の実施例の第６態様によれば、
プロセッサと、
プロセッサにより実行可能なコマンドを記憶するメモリと、
を含み、
該プロセッサは、
第２電子装置との接続を構築し、
該第２電子装置に対する充電過程において、電子装置自身の充電状態をリアルタイムに検出し、該電子装置自身の該リアルタイム充電電圧情報は該電子装置自身の充電状態に応じて変化するリアルタイム充電電圧情報を取得し、
該接続に基づいて、該第２電子装置に該リアルタイム充電電圧情報をリアルタイムに送信し、該電子装置に対する充電を行うように該第２電子装置に出力充電電圧を制御させる電子装置を提供する。
【発明の効果】
【００２０】
本発明の実施例により提供される技術的解決手段は、下記の好適な効果を含む。
【００２１】
本発明の実施例により提供される方法は、第１電子装置と第２電子装置の接続を構築し、該接続に基づいて、該第２電子装置は該第１電子装置の該第１電子装置の充電状態に応じて変化するリアルタイム充電電圧情報を取得し、該第２電子装置が該第１電子装置に対する充電過程において、該第１電子装置のリアルタイム充電電圧情報に基づいて、該第１電子装置に対する充電を行うように該第２電子装置を制御して該第１電子装置に充電電圧を出力させる。このような充電方法を採用することによれば、充電過程において、第２電子装置に１回の電圧変換のみを行い、第１電子装置及び第２電子装置にいずれも電圧変換が必要とする充電方法に比べて、第１電子装置に行う電圧変換過程を減らし、それにより電圧変換過程による電気エネルギー損失を低下させ、充電効率を向上させる。
【００２２】
理解すべきことは、以上の一般的な説明と後述の詳細な説明は例示的及び解釈的なものに過ぎず、本発明を限定するものではない。
【図面の簡単な説明】
【００２３】
ここの図面は明細書に合せられ本明細書の一部を構成し、本発明に適合する実施例を示し、明細書と共に本発明の原理を解釈するのに用いられる。
【００２４】
【図１】電池の充電過程における各パラメータの変化を示す図である。
【図２】一例示的な実施例により示された充電方法のフローチャートである。
【図３】一例示的な実施例により示された充電方法のフローチャートである。
【図４】一例示的な実施例により示された充電方法の両方のシーケンス図である。
【図５】一例示的な実施例により示された充電装置のブロック図である。
【図６】一例示的な実施例により示された充電装置のブロック図である。
【図７】一例示的な実施例により示された電子装置７００のブロック図である。
【発明を実施するための形態】
【００２５】
本発明の目的、技術的解決手段及び利点がより明瞭であるように、以下、図面に合わせ、本発明の実施形態についてさらに詳しく説明する。理解しやすいように、以下、電池の一般的な充電過程について説明する。
【００２６】
図１は電池の充電過程における各パラメータの変化を示し、該各パラメータは電池電圧及び充電電流を含む。図１において、横座標は充電時間であり、縦座標は各パラメータの対応強度であり、破線は電池の電圧を示し、実線は充電電流を示す。電池を損害させないことを保証する上で充電効率を向上させるために、図１に示すように、電池充電は一般的に細流充電（低圧プリチャージ）、定電流充電、定電圧充電及び充電終了という４つの過程に分けられることができる。
【００２７】
以下、該４つの過程についてそれぞれ説明する。
【００２８】
細流充電は、電池を保護する目的を達するために、完全に放電した電池ユニットに対して低電流プリチャージを行う。電池の電圧がプリチャージ電圧の閾値より低い場合細流充電を採用し、該細流充電の電流は一般的に定電流充電の十分の一の電流であり、即ち０．１Ｃである。Ｃは電池の呼び容量を電流値に置き換える表示方法であり、例えば、電池の容量が１０００ｍＡｈであれば、１Ｃは充電電流１０００ｍＡであり、該細流充電の電流０．１Ｃは１００ｍＡである。該細流充電過程は選択可能な過程である。
【００２９】
定電流充電は、電池の電圧がプリチャージ電圧の閾値以上に上がる場合、充電電流を増加させて定電流充電を行う。定電流充電の電流は一般的に０．２Ｃ〜１．０Ｃの間である。該定電流充電の過程において、電池の充電回路における等価内部抵抗が徐々に大きくなる。充電電流は充電電圧を等価内部抵抗で割るのに等しいため、等価内部抵抗が徐々に大きくなる状況下で充電電流が定電流であることを保証するために、該過程において充電電圧をリアルタイムに調整しなければならない。該定電流の充電過程において、該電池の電圧が徐々に大きくなる。
【００３０】
定電圧充電は、該電池の電圧が最終電圧に増やす場合、定電流充電が終了し、定電圧充電段階を始め、該最終電圧は一般的に３．０Ｖ〜４．２Ｖである。定電圧の充電過程において、充電電圧を固定値にさせるためにそれをリアルタイムに調整しなければならない。該過程において、電池の充電回路における等価内部抵抗が続いて大きくなり、充電電流が等価内部抵抗に反比例し、それにより充電電流は最大値から徐々に減少し、０．０１Ｃに減少した場合、該定電圧の充電過程が終了する。
【００３１】
充電終了は、定電圧の充電過程が終わった後、充電を停止する。しかし、ある状況において、例えば、電池電圧が再充電電圧の閾値より低いと検出した場合、再充電を行う。
【００３２】
該定電流充電及び該定電圧充電の過程において、一般的に、電子装置の入力電圧は固定値であるため、上記の充電電圧をリアルタイムに調整することは該電子装置が自身の電源管理モジュールにより完成することである。
【００３３】
図２は、一例示的な実施例により示された充電方法のフローチャートであり、図２に示すように、該方法は下記のステップを含む。ステップＳ２０１において、第１電子装置と第２電子装置の接続を構築する。ステップＳ２０２において、該接続に基づいて、該第２電子装置は該第１電子装置のリアルタイム充電電圧情報を取得し、該リアルタイム充電電圧情報は該第１電子装置の充電状態に応じて変化する。
【００３４】
ステップＳ２０３において、該第２電子装置の該第１電子装置に対する充電過程において、該第１電子装置のリアルタイム充電電圧情報に基づいて、該第１電子装置に対する充電を行うように該第２電子装置を制御して該第１電子装置に充電電圧を出力させる。
【００３５】
本発明の一実施例において、第１電子装置と第２電子装置の接続を構築することは、該第１電子装置と該第２電子装置に配置された指定インターフェース及び２つの電子装置の間に接続された指定タイプのデータ線によって、該第１電子装置と該第２電子装置の接続を構築することを含む。
【００３６】
本発明の一実施例において、該第１電子装置と該第２電子装置はいずれも移動端末であり、又は、該第１電子装置は移動端末であり、該第２電子装置は移動電源装置である。
【００３７】
図３は、一例示的な実施例により示された充電方法のフローチャートであり、図３に示すように、該方法は下記のステップを含む。
【００３８】
ステップＳ３０１において、第１電子装置と第２電子装置の接続を構築する。
【００３９】
ステップＳ３０２において、該第２電子装置が該第１電子装置に対する充電過程において、該第１電子装置の充電状態をリアルタイムに検出し、該第１電子装置のリアルタイム充電電圧情報を取得し、該リアルタイム充電電圧情報は該第１電子装置の充電状態に応じて変化する。
【００４０】
ステップＳ３０３において、該接続に基づいて、該第２電子装置に該第１電子装置のリアルタイム充電電圧情報をリアルタイムに送信し、該第１電子装置に対する充電を行うように該第２電子装置に該第２電子装置から出力された充電電圧を制御させる。
【００４１】
本発明の一実施例において、該第１電子装置と第２電子装置の接続を構築することは、該第１電子装置と該第２電子装置に配置された指定インターフェース及び２つの電子装置の間に接続された指定タイプのデータ線によって、該第１電子装置と該第２電子装置の接続を構築することを含む。
【００４２】
本発明の一実施例において、該第１電子装置の充電状態をリアルタイムに検出し、該第１電子装置のリアルタイム充電電圧情報を取得することは、該充電状態により現在の電池電圧数値がプリセット数値より小さいと示す場合、プリセット電流値と現在の該第１電子装置の充電状態に応じて変化する該電池の等価内部抵抗との積を該第１電子装置のリアルタイム充電電圧情報として取得することと、該充電状態により現在の電池電圧数値がプリセット数値より大きいと示す場合、プリセット電圧数値を該第１電子装置のリアルタイム充電電圧情報として取得することと、を含む。
【００４３】
図４は、一例示的な実施例により示された充電方法の両方のシーケンス図であり、図４に示すように、該方法は下記のステップを含む。
【００４４】
ステップＳ４０１において、第１電子装置と第２電子装置の接続を構築する。該第１電子装置及び該第２電子装置にはいずれも電池が配置され、本実施例において、該第１電子装置を被充電装置とし、該第２電子装置が該第１電子装置を充電するのに用いられる状況を例として説明する。
【００４５】
該第１電子装置及び第２電子装置は同じタイプの電子装置であってもよく、又は異なるタイプの電子装置であってもよい。例えば、該第１電子装置及び第２電子装置はいずれも携帯電話であり、又は、該第１電子装置は携帯電話であり、該第２電子装置はタブレットパソコンであり、さらに、該第１電子装置は携帯電話であり、該第２電子装置は移動充電装置である。
【００４６】
第１電子装置と第２電子装置の接続を構築することは、該第１電子装置と該第２電子装置に配置された指定インターフェース及び２つの電子装置の間に接続された指定タイプのデータ線によって、該第１電子装置と該第２電子装置の接続を構築することを含む。
【００４７】
該構築された接続はデータ接続及び電源接続を含む。本実施例において、該指定インターフェースは具体的にＵＳＢ  Ｔｙｐｅ  Ｃ（Ｕｎｉｖｅｒｓａｌ  Ｓｅｒｉａｌ  Ｂｕｓ  Ｔｙｐｅ  Ｃ、ユニバーサルシリアルバスタイプＣ）インターフェースであり、該指定タイプのデータ線は具体的にＵＳＢ  Ｔｙｐｅ  Ｃデータ線である。ここで、該ＵＳＢ  Ｔｙｐｅ  Ｃインターフェース及びデータ線はいずれも４つのケーブル構造を有し、４つのケーブルのうちの２つのケーブルをシリアルデータチャンネルとし、それによりデータ接続を構築し、４つのケーブルの別の２つのケーブルを電源接続とし、それにより電源接続を構築する。
【００４８】
ＵＳＢ  Ｔｙｐｅ  Ｃインターフェース及びデータ線を利用して構築された接続はリバーシブルという特徴を有するため、本実施例により提供される方法において、該第１電子装置と該第２電子装置は互いに充電する効果を実現することできる。例えば、本発明の一実施例において、該第１電子装置は被充電装置であり、該第２電子装置は該第１電子装置を充電するのに用いられる。なお、本発明のその他の実施例において、対応設置を行うことにより、第２電子装置を被充電装置に変換し、該第１電子装置が該第２電子装置を充電することができるようにさせる。
【００４９】
ステップＳ４０２において、第１電子装置は自身の充電状態をリアルタイムに検出し、該第１電子装置のリアルタイム充電電圧情報を取得する。
【００５０】
接続を構築した後、該第２電子装置が該第１電子装置に対する充電を始める。該過程において、該第１電子装置は自身に配置された電源管理モジュールによって自身の充電状態に対するリアルタイム検出を行い、該充電状態により該第１電子装置における電池の電圧を示し、該リアルタイム検出過程は具体的に該第１電子装置における電池の電圧をリアルタイムに読み取ることができる。該充電状態に基づいて、該第１電子装置のリアルタイム充電電圧情報を取得し、該充電電圧情報が該第１電子装置の現在必要とする充電電圧を示すのに用いられ、該充電電圧情報は該第１電子装置の充電状態に応じて変化する。
【００５１】
本実施例において、該充電状態により該第１電子装置の現在の電池電圧数値がプリセット数値より小さいと示す場合、該第１電子装置は定電流充電過程を行う。定電流充電過程において、充電電流を一定に保持し、該充電電流は実際の状況に応じてプリセット電流値に設定することができ、例えば、該プリセット電流値は０．１Ｃ〜１．１Ｃの間の数値に設定されることができる。該定電流充電の過程において、充電状態の変化により、電池の等価内部抵抗もそれに応じて変化する。電圧が電流と抵抗との積に等しいことにより、抵抗がリアルタイムに変化している状況下で、電流を一定に保持するために、電圧は抵抗の変化に応じて相応に変化しなければならず、さらに定電流充電を保証するために、該プリセット電流値と現在の該電池の等価内部抵抗との積を該第１電子装置のリアルタイム充電電圧情報として取得する。
【００５２】
該充電過程において、電池の電圧は充電状態の変更に応じて上昇し、該充電状態により該第１電子装置の現在の電池電圧数値がプリセット数値より大きいと示す場合、該第１電子装置は定電圧充電過程を行う。定電圧充電過程において、充電電圧を一定に保持し、該充電電圧は実際の状況に応じてプリセット電圧値に設定することができ、例えば、該プリセット電圧値は２．９Ｖ〜４．３Ｖの間の数値に設定されることができる。該過程において、プリセット電圧値を該第１電子装置のリアルタイム充電電圧情報として取得する。
【００５３】
ステップＳ４０３において、第１電子装置は該第２電子装置に自身のリアルタイム充電電圧情報をリアルタイムに送信する。第１電子装置が自身のリアルタイム充電電圧情報を取得した後、ステップＳ４０１に構築された接続に基づいて、該第２電子装置にリアルタイム充電電圧情報を送信し、該第１電子装置に対する充電を行うように該第２電子装置に自身の出力充電電圧を制御させる。
【００５４】
本実施例において、リアルタイム充電電圧情報はステップ４０１における該ＵＳＢ  Ｔｙｐｅ  Ｃインターフェース及びデータ線により提供されるデータ接続を介し、ｉｓｏｃｈｒｏｎｏｕｓ（同期）伝送モードで該第２電子装置にリアルタイムに送信する。説明すべきことは、リアルタイム充電電圧情報を送信する方式は、データブロックを周期送信するなどのその他の方式を含み、本発明はこれについて限定しない。
【００５５】
ステップＳ４０４において、該第２電子装置は該第１電子装置のリアルタイム充電電圧情報を取得する。ステップＳ４０１により構築されたデータ接続に基づいて、該第２電子装置は該第１電子装置のリアルタイム充電電圧情報を取得し、該リアルタイム充電電圧情報は該第１電子装置の充電状態に応じて変化する。
【００５６】
ステップＳ４０５において、該第２電子装置は該第１電子装置のリアルタイム充電電圧情報に基づいて、該第１電子装置に対する充電を行うように該第２電子装置自身を制御して該第１電子装置に充電電圧を出力させる。
【００５７】
該第２電子装置は、該第１電子装置のリアルタイム充電電圧情報を取得した後、自身の電源の出力電圧を現在の第１電子装置に必要な充電電圧に変換し、該充電電圧を該第１電子装置に出力する。
【００５８】
本実施例において、該第２電子装置は、該第１電子装置のリアルタイム充電電圧情報を取得した後、自身の電源管理モジュールによって現在の電池自身の電圧を該充電電圧に変換し、例えば、該第２装置の現在の電池電圧が３Ｖであれば、該充電電圧情報は該第１電子装置の現在の必要な充電電圧が３．３Ｖであると示す場合、第２電子装置は自身の電源管理モジュールにより該３Ｖの電圧を３．３Ｖに変換し、該３．３Ｖの電圧を充電電圧として出力する。ステップ４０１における該ＵＳＢ  Ｔｙｐｅ  Ｃインターフェース及びデータ線により提供される電源接続に基づいて該第１電子装置に充電電圧を出力させる。
【００５９】
本実施例により提供される方法は、第１電子装置と第２電子装置との接続を構築し、該接続に基づいて、該第２電子装置は該第１電子装置の該第１電子装置の充電状態に応じて変化するリアルタイム充電電圧情報を取得し、該第２電子装置が該第１電子装置に対する充電過程において、該第１電子装置のリアルタイム充電電圧情報に基づいて、該第１電子装置に対する充電を行うように該第２電子装置を制御して該第１電子装置に充電電圧を出力させる。このような充電方法を採用すれば、充電過程において、第２電子装置に１回の電圧変換のみを行い、第１電子装置及び第２電子装置にいずれも電圧変換が必要とする充電方法に比べて、第１電子装置に行う電圧変換過程を減らし、それにより電圧変換過程による電気エネルギーの損失を低下させ、充電効率を向上させる。
【００６０】
図５は、一例示的な実施例により示された充電装置のブロック図であり、図５に示すように、該装置は、接続モジュール５０１と、取得モジュール５０２と、制御モジュール５０３と、を含む。
【００６１】
接続モジュール５０１は、第１電子装置と第２電子装置の接続を構築するのに用いられる。
【００６２】
取得モジュール５０２は、該接続に基づいて、該第１電子装置のリアルタイム充電電圧情報を取得するのに用いられ、該リアルタイム充電電圧情報は該第１電子装置の充電状態に応じて変化する。
【００６３】
制御モジュール５０３は、該第１電子装置に対する充電過程において、該第１電子装置のリアルタイム充電電圧情報に基づいて、該第１電子装置に対する充電を行うために、自身を制御して該第１電子装置に充電電圧を出力させるのに用いられる。
【００６４】
本発明の一実施例において、該接続モジュールはさらに、該第１電子装置と該第２電子装置に配置された指定インターフェース及び２つの電子装置の間に接続された指定タイプのデータ線によって、該第１電子装置と該第２電子装置の接続を構築するのに用いられる。
【００６５】
本発明の一実施例において、該第１電子装置と該第２電子装置はいずれも移動端末であり、又は、該第１電子装置は移動端末であり、該第２電子装置は移動電源装置である。
【００６６】
図６は、一例示的な実施例により示された充電装置のブロック図であり、図６に示すように、該装置は、接続モジュール６０１と、取得モジュール６０２と、送信モジュール６０３と、を含む。
【００６７】
接続モジュール６０１は、第１電子装置と第２電子装置の接続を構築するのに用いられる。
【００６８】
取得モジュール６０２は、該第２電子装置が該第１電子装置に対する充電過程において、該第１電子装置の充電状態をリアルタイムに検出し、該第１電子装置のリアルタイム充電電圧情報を取得するのに用いられ、該リアルタイム充電電圧情報は該第１電子装置の充電状態に応じて変化する。
【００６９】
送信モジュール６０３は、該接続に基づいて、該第２電子装置に該第１電子装置のリアルタイム充電電圧情報をリアルタイムに送信し、該第１電子装置に対する充電を行うように該第２電子装置に該第２電子装置から出力された充電電圧を制御させるのに用いられる。
【００７０】
本発明の一実施例において、該接続モジュールはさらに、該第１電子装置と該第２電子装置に配置された指定インターフェース及び２つの電子装置の間に接続された指定タイプのデータ線によって、該第１電子装置と該第２電子装置の接続を構築するのに用いられる。
【００７１】
本発明の一実施例において、該取得モジュールはさらに、該充電状態により現在の電池電圧数値がプリセット数値より小さいと示す場合、プリセット電流値と現在の該第１電子装置の充電状態に応じて変化する該電池の等価内部抵抗との積を該第１電子装置のリアルタイム充電電圧情報として取得し、該充電状態により現在の電池電圧数値がプリセット数値より大きいと示す場合、プリセット電圧数値を該第１電子装置のリアルタイム充電電圧情報として取得するのに用いられる。
【００７２】
本発明の実施例により提供される方法は、第１電子装置と第２電子装置との接続を構築し、該接続に基づいて、該第２電子装置は該第１電子装置の該第１電子装置の充電状態に応じて変化するリアルタイム充電電圧情報を取得し、該第２電子装置が該第１電子装置に対する充電過程において、該第１電子装置のリアルタイム充電電圧情報に基づいて、該第１電子装置に対する充電を行うように該第２電子装置を制御して該第１電子装置に充電電圧を出力させる。このような充電方法を採用すれば、充電過程において、第２電子装置に１回の電圧変換のみを行わせ、第１電子装置及び第２電子装置にいずれも電圧変換が必要とする充電方法に比べて、第１電子装置に行う電圧変換過程を減らし、それにより電圧変換過程による電気エネルギーの損失を低下させ、充電効率を向上させる。
【００７３】
図７は、一例示的な実施例により示された電子装置７００のブロック図である。例えば、装置７００は、携帯電話、コンピュータ、デジタル放送端末、メッセージ送受信装置、ゲームコンソール、タブレット型デバイス、医療機器、フィットネス機器、個人用デジタル補助装置などであってもよい。
【００７４】
図７に示すように、装置７００は、処理部７０２、メモリ７０４、電源部７０７、マルチメディア部７０８、音声部７１０、入力／出力（Ｉ／Ｏ）のインターフェース７１２、センサー部７１４、及び通信部７１６のうちの一つ又は複数の部材を含むことができる。
【００７５】
処理部７０２は、一般的に装置７００の全体的操作、例えば、表示、電話呼び出し、データ通信、カメラ操作及び記録操作に関する操作を制御する。処理部７０２は、上記方法の全部又は一部のステップを完成するために、一つ又は複数のプロセッサ７２０を含んでコマンドを実行してもよい。さらに、処理部７０２は、その他のモジュールとのインタラクションを便利にするように、一つ又は複数のモジュールを含んでもよい。例えば、処理部７０２は、マルチメディア部７０８と処理部７０２とのインタラクションを便利にするように、マルチメディアモジュールを含んでもよい。
【００７６】
メモリ７０４は、装置７００の操作をサポートするために、様々な種類のデータを記憶するように配置される。これらのデータの実例は、装置７００において操作される如何なるアプリケーション又は方法のコマンド、連絡先データ、電話帳データ、メッセージ、画像、ビデオなどを含む。メモリ７０４は、如何なる種類の揮発性又は不揮発性メモリ又はそれらの組合せ、例えば、スタティックランダムアクセスメモリ（ＳＲＡＭ）、電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００７７】
電源部７０６は、装置７００の様々な部材のために電力を供給する。電源部７０６は、電源管理システム、一つ又は複数の電源、及びその他の装置７００のための電力の生成、管理及び供給に関連する部材を含むことができる。
【００７８】
マルチメディア部７０８は、装置７００とユーザーの間の一つの出力インターフェースを提供するスクリーンを含む。一部の実施例において、スクリーンは液晶ディスプレイ（ＬＣＤ）とタッチパネル（ＴＰ）を含んでもよい。スクリーンにタッチパネルが含まれる場合、スクリーンはユーザーからの入力信号を受信するために、タッチスクリーンに実現されることができる。タッチパネルは、タッチ、スワイプ及びタッチパネルにおけるジェスチャーを感知するために、一つ又は複数のタッチセンサーを含む。タッチセンサーは、タッチ又はスワイプ動作の境界を感知するとともに、タッチ又はスワイプ動作に関わる持続時間及び圧力を検出することができる。一部の実施例において、マルチメディア部７０８は、フロントカメラ及び／又はバックカメラを含む。装置７００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【００７９】
音声部７１０は、音声信号を出力及び／又は入力するように配置される。例えば、音声部７１０は、マイクロホン（ＭＩＣ）を含み、装置７００が操作モードである場合、例えば、呼び出しモード、記録モード及び音声認識モードである場合、マイクロホンは外部の音声信号を受信するように配置される。受信された音声信号は、さらにメモリ７０４に記憶され、又は通信部７１６を介して送信される。一部の実施例において、音声部７１０は、さらに音声信号を出力するスピーカーを含む。
【００８０】
Ｉ／Ｏインターフェース７１２は、処理部７０２と周辺インターフェース部との間にインターフェースを提供し、上記周辺インターフェース部は、キーボード、クリックホイール、ボタンなどであってもよい。これらのボタンは、ホームボタン、ボリュームボタン、スタートボタン及びホールドボタンを含むことができるが、それに限定されない。
【００８１】
センサー部７１４は、一つ又は複数のセンサーを含み、装置７００に各方面の状態評価を提供するためである。例えば、センサー部７１４は、装置７００のオン／オフ状態、部材の相対的位置決めを検出することができ、例えば、上記部材が装置７００のディスプレイ及びキーパッドであり、センサー部７１４は、さらに装置７００又は装置７００の一つの部材の位置変化、ユーザーと装置７００との接触の有無、装置７００の方角又は加速／減速及び装置７００の温度変化を検出することができる。センサー部７１４は、近接センサーを含むことができ、如何なる物理的接触がない時、近傍物体の存在を検出するように配置される。センサー部７１４は、さらに光学センサー、例えば、ＣＭＯＳ又はＣＣＤイメージセンサーを含むことができ、イメージングアプリケーションに用いられる。一部の実施例において、該センサー部７１４は、さらに加速度センサー、ジャイロセンサー、磁気センサー、圧力センサー又は温度センサーを含むことができる。
【００８２】
通信部７１６は、装置７００とその他の装置との有線又は無線方式による通信を便利にするように配置される。装置７００は、通信標準に基づく無線ネットワーク、例えば、Ｗｉ−Ｆｉ、２Ｇ又は３Ｇ、又はそれらの組み合わせにアクセスすることができる。一例示的な実施例において、通信部７１６は、放送チャネルを介して外部放送管理システムからの放送信号又は放送関連情報を受信する。一例示的な実施例において、通信部７１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【００８３】
例示的な実施例において、装置７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記図２、図３、あるいは図４に示された充電方法を実行するのに用いられる。
【００８４】
例示的な実施例において、さらに、コマンドを含む非一時的コンピュータ可読記憶媒体、例えば、コマンドを含むメモリ７０４を提供し、上記方法を完成するために、上記コマンドは装置７００のプロセッサ７２０により実行することができる。例えば、上記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【００８５】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない当該技術分野における一般的知識又は慣用の技術手段を含む。明細書と実施例は例示的なものに過ぎず、本発明の実際の範囲と精神は特許請求の範囲により与えられる。
【００８６】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
2017534241.tif 000003
【図２】
2017534241.tif 000004
【図３】
2017534241.tif 000005
【図４】
2017534241.tif 000006
【図５】
2017534241.tif 000007
【図６】
2017534241.tif 000008
【図７】
2017534241.tif 000009
【国際調査報告】
2017534241.tif 000010
2017534241.tif 000011
2017534241.tif 000012
2017534241.tif 000013